(57)【要約】      （修正有）【課題】  撮影時に人物の大きさが確定でき，簡単に証明写真を撮影できる撮影用基準ガイド及びカメラを提供する。【解決手段】  撮影用基準ガイド１と、デジタルカメラから成る。デジタルカメラは、液晶表示部、シャッター等を有する。撮影用基準ガイド１は、透明のフィルムにガイド線５や枠６が設けられ、ガイド線５と枠６の形状、色、は種々のものがある。ガイド線５に合わせることにより、人物像が所定の大きさで撮影できるようにする。ガイド線５にさらに頭部輪郭線を加えたものがある。パスポート用写真のように、写真の外形だけではなく、顔の大きさも指定のある場合に、ガイド線５に頭部輪郭線を加えた撮影用基準ガイド１を用いる。【選択図】図２
2005284225.tif 000002
【特許請求の範囲】
【請求項１】
カメラの液晶表示部に貼付されるフィルム状の撮影用基準ガイドであって、トリミング用のガイド線を有することを特徴とする撮影用基準ガイド。
【請求項２】
トリミング用のガイド線を発生させるガイドパターン発生部と、撮影時にファインダ又は液晶表示部に前記ガイド線を表示する表示手段と、を具備することを特徴とするカメラ。
【請求項３】
ガイド線を表示すると同時に、撮影時に人物に重ねてガイド線を記憶することのできることを特徴とする請求項２記載カメラ。
【請求項４】
撮影範囲の外側に空白部分を追加して記憶することのできることを特徴とする請求項２記載カメラ
【発明の詳細な説明】
【技術分野】
【０００１】  本発明は、証明写真を撮影するための、トリミング用ガイド線を有するカメラ撮影用基準ガイド、及び撮影時にトリミング用ガイド線を表示できるカメラに関するものである。
【背景技術】
【０００２】  証明写真はその用途によって写真の大きさや、その写真のなかの顔の大きさが指定されている。【０００３】  従来のカメラでは、その指定された大きさに合わせて人物を撮影することは困難であった。【０００４】  また、プリントした写真を指定された証明写真の大きさに切り抜くため、定規等で大きさを測らなければならなかった。
【発明の開示】
【発明が解決しようとする課題】
【０００５】  解決しようとする問題点は、人物撮影の際、どのくらいの大きさで撮影すればよいのかわからなかった点である。【０００６】  また、写真を切り抜く際にも大きさを測る必要があった。【０００７】  本発明は、このような問題に鑑みてなされたもので、その目的とするところは、撮影時に人物の大きさが確定でき，簡単に証明写真を撮影できる撮影用基準ガイド及びカメラを提供することにある。
【課題を解決するための手段】
【０００８】  前述した目的を達成するために、第１の発明は、カメラの液晶表示部に貼付されるフィルム状の撮影用基準ガイドであって、トリミング用のガイド線を有することを特徴とする撮影用基準ガイドである。【０００９】  第２の発明は、トリミング用のガイド線を発生させるガイドパターン発生部と、撮影時にファインダー又は液晶表示部に前記ガイド線を表示する表示手段と、前記ガイド線を人物に合成して記憶する機能を具備することを特徴とするカメラである。
【発明の効果】
【００１０】  本発明の撮影用基準ガイドまたはカメラを用いることにより、証明写真で要求される最適な人物像の大きさの写真を簡単に撮影できるようになる。【００１１】  本発明のカメラを用いることにより、人物写真に合成したガイド線にそって切抜くことにより、簡単に証明写真を作成することができる。
【発明を実施するための最良の形態】
【００１２】  図１は本発明の実施の形態に係る撮影用基準ガイド１と、デジタルカメラ２を示す。デジタルカメラ２は、液晶表示部３、シャッター４等を有する。【００１３】  図２は撮影用基準ガイド１を示す。撮影用基準ガイド１は、透明のフィルムにガイド線５や枠６が設けられ、ガイド線５と枠６の形状、色、は種々のものがある。枠６が無いものもある。ガイド線５は、人物像を撮影する場合、人物像が所定の大きさで撮影できるようにするためのものである。【００１４】  図３は、ガイド線５にさらに頭部輪郭線７を加えたものである。パスポート用写真のように、写真の外形だけではなく、顔の大きさも指定のある場合に、ガイド線５に頭部輪郭線７を加えた撮影用基準ガイド１を用いる。【００１５】  図４は液晶表示部３に撮影用基準ガイド１を貼付し、人物像の大きさを調整して表示したものである。【００１６】  図５は撮影用基準ガイド１をデジタルカメラ２に貼付したときの撮影のフローチャートである。まず、液晶画面の大きさ、証明写真の大きさ、プリントする写真のサイズから、最適な大きさのガイド線５を有する撮影用基準ガイド１選択する（ステップ５０１）。次に撮影用基準ガイド１をデジタルカメラ２の液晶表示部３に貼付する（ステップ５０２）。撮影用基準ガイド１の裏面には両面テープが貼られこの両面テープにより、撮影用基準ガイド１が液晶表示部３に貼付される。図４に示すように、撮影者は、液晶表示部３に表示される人物像とガイド線５を見ながら大きさを調整する（ステップ５０３）。大きさの調整はデジタルカメラ２のズーム機能、もしくはカメラと人物の距離によって行う。大きさの調整が完了すると人物を撮影する（ステップ５０４）。【００１７】  撮影した写真は印刷し、はさみカッター等で所定の大きさに切り取る。【００１８】  図６は、他の実施の形態に係るデジタルカメラ６０の構成を示すブロック図である。デジタルカメラ６０は、フィルム状の撮影基準ガイド１を貼付するのではなく、デジタルカメラ６０が液晶表示画面６３に、トリミング用のガイド線や頭部輪郭線を表示し、撮影者が人物像の大きさを調整する。【００１９】  図６に示すようにデジタルカメラ６０は、ＣＣＤ撮像部６１、露出補正部・色補正部６２、液晶画面６３、ガイドパターン発生部６４、シャッター６５、メモリ６６等を有する。ＣＣＤ撮像部６１はＣＣＤからなる撮像部である。露出補正部・色補正部６２は、ＣＣＤ撮像部６１で撮像した画像の露出補正や色補正を行う。ガイドパターン発生部６４は図７に示すようなガイド線９と頭部輪郭線１０からなるガイドパターンを発生させる。液晶画面６３は、人物像とガイドパターンを合成した画像を表示する。メモリ６６はシャッター６５が押されると、人物とガイド線９の合成画像を記憶する。頭部輪郭線１０はメモリに記憶されない。ガイド線９は記憶するかしないかは選択できる。【００２０】  図８は合成画像を写真として印刷した図である。人物に重ねて切取線１２が印刷される。切取線１２は液晶画面８に表示されているときのガイド線９である。【００２１】  図９は、ガイドパターン発生部を有するデジタルカメラを使用して証明写真を撮影するためのフローチャートである。まず、印刷する写真の���きさを選択する（ステップ９０１）。図１０は液晶表示部８に表示される選択画面である。次に、証明写真の大きさを選択する（ステップ９０２）。写真の大きさによってガイド線９の大きさが異なる。図１１はガイド線９を選択する画面である。身分証明書用（３０ｍｍ×４０ｍｍ）、運転免許証用（２４ｍｍ×３０ｍｍ）、パスポート用（３５ｍｍ×４５ｍｍ）、自由設定と選択できる。ガイド線の大きさを任意に設定する場合は、図１２の大きさを指定する画面で数値を入力する次に、頭部輪郭線を表示するかどうかを選択する（ステップ９０３）。さらに、印刷する際、ガイド線９に添った切取線１２の有無を選択する。図１３は、頭部輪郭線と切り取り線の選択画面である。選択が終わると、液晶表示部にガイド線９が表示される。頭部輪郭線を選択していれば、頭部輪郭線１０も表示されている。ガイド線９に人物像の大きさを合わせる（ステップ９０５）。人物像の大きさの調整は、でデジタルカメラのズーム機能、もしくは人物と撮影者との距離で調節する。最後にシャッターを押し撮影する（ステップ９０６）。撮影すると人物像とガイド線９がメモリに合成され記憶される。ステップ９０６で、ガイド線記憶無しを選択していれば、ガイド線は記憶されない。尚、頭部輪郭線は記憶されない。【００２２】  本実施の形態においても図１の実施の形態と同様に、証明写真の大きさに合わせた人物像が撮影できる。【００２３】  カメラ付携帯電話のように撮影機能としての解像度が低く、写真を切り取ると品質が悪く、証明写真として使えない場合、液晶表示部８が小さすぎて人物の表情が十分に確認できない場合は、図１４に示すとおり、ガイド線９を拡大して撮影する。この場合、液晶表示部８全体を写真の大きさとすると、撮影した人物像が大きくなり、証明写真としては大きすぎる。そのため人物像を小さくするため、液晶表示部の外に空白部分を追加する。【００２４】  図１４は人物像を小さくするため、撮影範囲１３の外側に、空白部分１４を追加し印刷した写真である。写真の範囲を広げるため、切取線１２で囲まれる人物像は小さくなり証明写真に適した大きさが得られる。【００２５】  尚、本発明は、前述した各実施の形態で説明してきたデジタルカメラに限定されるものではなく、一般の光学カメラも対象となる。その場合、ファインダー内にガイド線を表示し、撮影する。
【図面の簡単な説明】【図１】本発明の撮影用基準ガイドと、カメラの外観図
【図２】撮影用基準ガイドを示す図
【図３】ガイド線に頭部輪郭線を加えた図。
【図４】ガイド線、頭部輪郭線に人物像の大きさを合わせた図
【図５】撮影用基準ガイドを使用する場合のフローチャート
【図６】デジタルカメラ６０の構成を示すブロック図
【図７】デジタルカメラの液晶表示部に表示されるガイド線及び頭部輪郭線の図
【図８】デジタルカメラで撮影された写真の図
【図９】デジタルカメラを使用する場合のフローチャート
【図１０】印刷する写真の大きさを選択する画面
【図１１】証明写真の大きさを選択する画面
【図１２】証明写真の大きさを数値で入力する場合の画面
【図１３】頭部輪郭線の表示の有無、切取線記憶の有無を選択する画面
【図１４】ガイド線９を大きく表示した図
【図１５】撮影範囲１３に空白部分１４を追加し印刷した写真の図
【符号の説明】
１………撮影用基準ガイド２………デジタルカメラ３………液晶表示部４………シャッター５………ガイド線６………枠７………頭部輪郭線８………液晶表示部９………ガイド線１０………頭部輪郭線１１………写真１２………切取線１３………撮影範囲１４………空白部分６０………デジタルカメラ６１………ＣＣＤ撮像部６２………露出補正部・色補正部６３………液晶画面６４………ガイドパターン発生部６５………シャッター６６………メモリ
【図１】
2005284225.tif 000003
【図２】
2005284225.tif 000004
【図３】
2005284225.tif 000005
【図４】
2005284225.tif 000006
【図５】
2005284225.tif 000007
【図６】
2005284225.tif 000008
【図７】
2005284225.tif 000009
【図８】
2005284225.tif 000010
【図９】
2005284225.tif 000011
【図１０】
2005284225.tif 000012
【図１１】
2005284225.tif 000013
【図１２】
2005284225.tif 000014
【図１３】
2005284225.tif 000015
【図１４】
2005284225.tif 000016
【図１５】
2005284225.tif 000017